(57)【要約】【課題】副葬品の火葬をできるだけ可燃性材料のみで形成してボイラや環境に負担の少ないものとし、しかも葬儀後に簡易に携帯できるものとしての副葬品が残せるものとすることである。【解決手段】火葬の際に焼却可能な可燃性材料または生分解性材料で形成された葬儀・副葬用成形品１と、その表面の凹部に嵌め入れて一体的に装着され、かつ凹部から適宜に抜き取り可能な形見用装飾品３とからなる副葬品とする。葬儀の適当な時まで葬儀・副葬用成形品１と形見用装飾品３とが一体化されており、火葬や埋葬の直前に葬儀・副葬用成形品１から形見用装飾品３を抜き取って形見とする。形見用装飾品３が、金属ゲルマニウムまたはトルマリン石からなるものは、マイナスイオン効果やリラックス効果も期待できる。【選択図】図１
2010119641.tif 000002
【特許請求の範囲】
【請求項１】
火葬の際に焼却可能な可燃性材料または生分解性材料で形成された葬儀・副葬用成形品と、この葬儀・副葬用成形品に形成された表面の凹部または穴に嵌め入れて一体的に装着され、かつ前記凹部または穴から適宜に抜き取り可能な形見用装飾品とからなる副葬品。
【請求項２】
形見用装飾品が、貴金属、宝石、金属ゲルマニウムまたはトルマリン石からなる形見用装飾品である請求項１に記載の副葬品。
【請求項３】
請求項１又は２に記載の形見用装飾品を装身具本体に嵌め込んで固定可能な凹部または穴を形成した形見用装飾品保持用の装身具。
【発明の詳細な説明】
【技術分野】
【０００１】
この発明は、火葬または埋葬によって消失する部分を備えており、かつ形見として保存される部分も備えた副葬品、および分離された形見用装飾品保持用の装身具に関するものである。
【背景技術】
【０００２】
一般に、人については勿論であるが、家族同様の愛玩動物（ペット）が亡くなったときには、心を込めた葬儀が行なわれる場合が多く、特に日本では火葬または海外では土葬などによって宗教的儀式が行なわれるが、その際に副葬品を用いることが知られている。
【０００３】
副葬品とは、器具や調度などを、遺骸にそえて埋葬し、または火葬することであり、通常、生前の愛用品や埋葬用の特製品を埋葬または火葬することが行なわれる。
このような副葬品として、火葬の際に受ける熱で損傷せず、または消失しない材質で形成された不燃性の副葬品を設け、それと共に完全に焼却されてしまう材料とを併せて複合的に形成された副葬品が知られている（特許文献１）。
【０００４】
【特許文献１】特開２００６−２３９０８９号公報
【発明の開示】
【発明が解決しようとする課題】
【０００５】
しかし、上記した従来の副葬品は、一部に耐熱性材料からなるものを可燃性材料からなるものと一緒に火葬するものであるために、火葬するとボイラに負担があり、また使用する耐熱性材料によっては有害なガスを発生する場合も考えられるため、地方の条例などによって規制される場合があり、火葬できない場合もある。
【０００６】
また、海外などでは、土葬をする風習もあるが、そのような葬儀では貴金属などの価値のある副葬品の盗難などの危険性があり、それらを安全に保管できないという問題点もある。
【０００７】
そこで、この発明の課題は、上記した問題点を解決して、副葬品の火葬を可燃性材料で行なえて火葬用ボイラや環境に負担の少ないものとし、しかも葬儀後に簡易に携帯できる形見用装飾品として、葬儀・副葬用成形品と一体感のある価値の高いものが残せる副葬品とすることである。
【０００８】
また、火葬するばかりでなく、土葬その他の葬儀においても故人やペットの冥福を充分に祈ることができると共に、副葬品を安全に形見として残せるものとして、多くの宗教儀式にも対応できる副葬品とすることである。
【課題を解決するための手段】
【０００９】
上記の課題を解決するために、この発明においては、火葬の際に焼却可能な可燃性材料または生分解性材料で形成された葬儀・副葬用成形品と、この葬儀・副葬用成形品に形成された表面の凹部または穴に嵌め入れて一体的に装着され、かつ前記凹部または穴から適宜に抜き取り可能な形見用装飾品とからなる副葬品としたのである。
【００１０】
上記したように構成されるこの発明の副葬品は、通夜や葬儀の適当な時まで葬儀・副葬用成形品と形見用装飾品とが一体化されており、火葬や埋葬の直前に葬儀・副葬用成形品に形成された表面の凹部または穴から形見用装飾品を抜き取って、形見として保存しておくことができる。
【００１１】
そして、この発明の葬儀・副葬用成形品は、火葬の際に焼却可能な可燃性材料で形成されているので、火葬用のボイラに負担が少なく、または生分解性材料で形成されているので墓地などの土壌環境に負担の少ないものとなる。
【００１２】
火葬や埋葬される葬儀・副葬用成形品と一体感のある形見用装飾品が、貴金属、宝石、金属ゲルマニウムまたはトルマリン石からなるものである場合は、葬儀・副葬用成形品から取り外して遺族に対する精神的な支えとして安全に保管でき、特に金属ゲルマニウムまたはトルマリン石からなるものは、装飾品として身に着けることにより、マイナスイオン効果やリラックス効果の期待できる形見用装飾品となる。
【００１３】
また、形見用装飾品を身に着ける場合には、このような形見用装飾品を装身具本体に嵌め込んで、固定可能な凹部または穴を形成した形見用装飾品保持用装身具を利用してもよい。
【００１４】
形見用装飾品を装身具本体に嵌め込むことにより、装身具本体と形見との一体感は高まり、装飾品として身に着けた場合の価値観はより高められる。また、金属ゲルマニウムまたはトルマリン石からなるものは、気持ちをリラックスさせ、ストレスを和らげる効果も一層高められることが期待できる。
【発明の効果】
【００１５】
この発明は、火葬の際に焼却可能な可燃性材料または生分解性材料で形成された葬儀・副葬用成形品と、これに形成された表面の凹部または穴に嵌め入れ、ここから適宜に抜き取り可能な形見用装飾品とからなる副葬品としたので、火葬や埋葬の直前に葬儀・副葬用成形品から形見用装飾品のみを分離でき、当初の葬儀・副葬用成形品と一体感のある価値の高いものが形見として安全に残せる副葬品であるという利点がある。
【００１６】
また、副葬品の火葬を可燃性材料のみで行なえてボイラや環境に負担の少ないものとなり、また埋葬の場合は、墓地などの土壌環境に負担の少ない生分解性材料のみを埋葬できるという利点もある。
【００１７】
さらにまた、形見用装飾品保持用の装身具は、形見用装飾品を装身具本体に嵌め込むことにより、装飾品として簡便に身に着けることができると共に、形見と装身具本体との一体感が高く、特に金属ゲルマニウムまたはトルマリン石からなる形見用装飾品を嵌め込むものは、身に着けることにより、マイナスイオン効果やリラックス効果も期待できるものになる。
【発明を実施するための最良の形態】
【００１８】
この発明の実施形態を以下に添付図面に基づいて説明する。
図１〜４に示すように、副葬品に係る発明の実施形態は、火葬の際に焼却可能な可燃性材料または生分解性材料で形成された葬儀・副葬用成形品１と、その表面の凹部２（図３、４）に嵌め入れて一体的に装着され、かつ凹部２から適宜に抜き取り可能な球状の形見用装飾品３とからなる副葬品である。
【００１９】
この発明に用いる葬儀・副葬用成形品１は、可燃性材料または生分解性材料で球体などの所要形状に成形されたものである。
このうち可燃性材料は、可燃性であることが周知の有機材料からなるものであり、例えばセルロース系材料などが主材料の代表的なものとして挙げられ、その他に必要に応じて糊などの粘結剤、補強剤その他の添加剤を配合したものである。
【００２０】
セルロース系材料は、比較的燃焼温度も低くて火葬用ボイラに負担が少なく、また完全燃焼させれば有害ガスの発生も少ないので好ましいものであり、具体的には紙、綿繊維などのパルプ繊維、大鋸屑などの木質材料、小麦粉などの澱粉を用いた紙粘土が挙げられる。なお、紙粘土は、粘結剤として粘土分（不燃性無機質）を多く含むものは好ましくなく、例えば細かく裁断された紙に澱粉糊などの糊を加えて粘土状にした紙粘土または小麦粉粘土などの穀物粉粘土、セルロース・澱粉粘土、寒天粘土などは好ましいものである。
【００２１】
なお、合成樹脂のうち、特に熱可塑性樹脂は、通常、可燃性であるが、燃焼により硫黄、窒素などの成分から有毒なガスの発生が懸念されるので、そのような材料はあまり好ましい材料であるとは言えない。但し、植物繊維をそのまま、またはセルロースとして樹脂材料に使用し、または充填材として使用することは好ましく、植物繊維の原料としては、例えば、ケナフ、サトウキビ、アシタバ、トウモロコシなどを例示できる。
【００２２】
一方、埋葬用の葬儀・副葬用成形品を形成する生分解性材料は、生分解性ポリマーなどの生分解性高分子または有機物を含有するものであり、前記した可燃性材料と重複する素材を含む。生分解性材料は、埋葬された後に１ヶ月〜数年程度で微生物などによって分解される生分解性樹脂などの生分解性高分子が好ましく、例えばでんぷん、セルロース、ポリビニルアルコール（ＰＶＡ）などであり、そのような生分解性材料と通常のプラスチックとの混合物を用いても良い。
【００２３】
このような生分解性材料または可燃性材料からなる葬儀・副葬用成形品１は、注型成形など、周知の成形法によって球体、楕円球体、柱体、多面体その他周知の適当な立体形状に設けるが、例えば図示したように、球形状（例えば、直径５〜１０ｃｍ程度でもよい。）のものが代表的な形状であるといえる。
【００２４】
図３、４に示すように、葬儀・副葬用成形品１は、内部が中空であっても中実であってもよく、菩提樹の実４などの宗教または儀式的に適当な可燃物を埋め込んでおくこともできる。
ここでいう適宜な可燃物というのは、儀式用に適当な可燃物という意味であり、菩提樹の実４またはそれ以外のものであってもよく、その数は単数でもよく複数でもよい。また、前記中空部分が葬儀・副葬用成形品１の一部を着脱可能な構造（例えば、ネジ止め、嵌め合わせまたはスナップ結合などによる着脱構造）とすることにより中空部分を適宜に開放可能とした場合には、可燃物の全部または一部を形見として取り出して保存することもでき、不燃物、耐熱性の物または生分解不能な物を入れた場合でも、火葬または埋葬までにその全部を取り出せば支障のないことは勿論である。
【００２５】
そして、図１（ａ）と図２に示すように、葬儀・副葬用成形品１の表面には、宗教的に表現することが好ましいと考えられる文字や紋章その他の装飾を施してもよく、例えば般若心教の経文や梵字などを印刷または型抜き、押し型、レリーフなどのような手法で立体文字５として設けてもよい。
【００２６】
葬儀・副葬用成形品１に形成された表面の凹部２または穴（図示せず）は、形見用装飾品３を嵌め入れることのできる適当な大きさと寸法に形成される。この発明でいう凹部２は、葬儀・副葬用成形品１の表面に開放されたものであり、嵌め入れた形見用装飾品３は、表面から取り外し可能に露出する。一方、この発明でいう穴は、嵌め入れた形見用装飾品３が表面より深い位置に収まるような深穴（一端開口穴）や貫通穴（両端開口穴）も含むものであり、前記凹部２のように葬儀・副葬用成形品１の表面に常時開放されたものだけに限定されることなく、蓋を設けて開口部を適宜に開閉可能とした穴であってもよい。
【００２７】
また、この葬儀・副葬用成形品１に形成された表面の凹部２や穴には、例えば貴金属、宝石、金属ゲルマニウムまたはトルマリン石などからなる適宜な形状・材質の形見用装飾品３を嵌め入れる。形見用装飾品３が柱状や線状のものであるならば、葬儀・副葬用成形品１を貫通する穴（図示せず）を設けて嵌め外し可能にしても良い。
【００２８】
図５〜８に示すように、形見用装飾品３は装身具本体に嵌め込んでもよく、そのような装身具本体６には、予め形見用装飾品３を整合するように嵌め入れることができ、固定可能または適宜に取り出すことが可能な凹部または穴を形成しておく。
【００２９】
装身具本体６は、例えば図５に示す第１実施形態の金属製のブレスレットのほか、図６に示す第２実施形態の装身具本体７であるシリコーンゴム製のブレスレット、図７または図８に示す第３実施形態の装身具本体８であるストラップにそれぞれ凹部または穴を設けて嵌め入れることができる他、例えば指輪、ブレスレット、ペンダント、ネックレス、ロケット、キーリング、ライター、ピアス、マネークリップ、ピルケース、携帯ストラップなどの適宜な形態の装飾品を採用することができるのは勿論である。
上記した第３実施形態の犬や猫の足型の装身具本体８では、穴９の表面に被せる蓋１０をヒンジによって開閉可能に設け、肉球部分８ａは本体とは別素材で形成してもよい。
【００３０】
このようにして、葬儀・副葬用成形品と形見用装飾品とは、当初一体化した状態で人やペット類の火葬や埋葬の直前まで故人やペットと一緒に供えておき、火葬や埋葬の際には分離した形見用装飾品を遺族に対する精神的な支えとして安全に保管でき、特に金属ゲルマニウムまたはトルマリン石からなるものは、装飾品として身に着けることにより、血流を良くするなどマイナスイオン効果やストレスを和らげてリラックス効果の期待できるアクセサリーとなる。
【図面の簡単な説明】
【００３１】
【図１】(a)副葬品の発明に係る実施形態の正面図、(b)副葬品の発明に係る実施形態の背面図
【図２】副葬品の発明に係る実施形態の表面に形成した文字の拡大図
【図３】副葬品の発明に係る実施形態の断面図
【図４】副葬品の発明に係る実施形態の部品を分解して示す断面図
【図５】装身具の発明に係る第１実施形態を示す正面図
【図６】装身具の発明に係る第２実施形態を示す正面図
【図７】装身具の発明に係る第３実施形態の背面図
【図８】装身具の発明に係る第３実施形態の蓋を開けた状態の説明図
【符号の説明】
【００３２】
１  葬儀・副葬用成形品
２  凹部
３  形見用装飾品
4  菩提樹の実
5  立体文字
６、７、８  装飾具本体
９  穴
10  蓋
【図１】
2010119641.tif 000003
【図２】
2010119641.tif 000004
【図３】
2010119641.tif 000005
【図４】
2010119641.tif 000006
【図５】
2010119641.tif 000007
【図６】
2010119641.tif 000008
【図７】
2010119641.tif 000009
【図８】
2010119641.tif 000010